(57)【要約】      （修正有）【課題】複数のサイズの布団に対応でき、かつ、装着時に見栄えが良い装着が容易な布団カバーを提供する。【解決手段】布団カバー１は、正方形の平面形状を有するシート状のカバー素材２から構成され、布団の２本の対角線の交点の位置と、カバー素材の２本の対角線の交点Ｅの位置とが概略一致し、布団の外辺部の概略中央がカバー素材の頂点Ａ，Ｂ，Ｃ，Ｄにくるように、布団をカバー素材上に配置し、布団の外辺部に沿ってカバー素材を折り曲げて、カバー素材の対向する頂点Ａ及びＣ，Ｂ及びＤが重なるようにして布団を覆い、カバー素材は、最大サイズの布団の２倍以上の面積を有し、最大サイズより小さい布団に対応した１組の対向折り曲げ線（ｅｈ，ｆｇまたはｉｌ，ｊｋ）が、最大の布団に対応した１組の対向折り曲げ線（ａｄまたはｂｃ）と共用される。【選択図】図１
0003207311.tif 000002
【実用新案登録請求の範囲】
【請求項１】
二以上の異なるサイズの布団に適用可能な布団カバーであって、
正方形または長方形の平面形状を有するシート状のカバー素材から構成され、
布団の平面形状における２本の対角線の交点の位置と、前記カバー素材の平面形状における２本の対角線の交点の位置とが概略一致し、前記布団の平面形状における外辺部の概略中央が前記カバー素材の平面形状における頂点にくるように、前記布団を前記カバー素材上に配置し、前記布団の平面形状における外辺部に沿って前記カバー素材を折り曲げて、前記カバー素材の対向する頂点が重なるようにして前記布団を覆い、
前記カバー素材は、最大サイズの前記布団の面積の２倍以上の面積を有し、
最大サイズより小さいサイズの前記布団に対応した１組の対向する折り曲げ線が、前記最大の前記布団に対応した対向した１組の折り曲げ線と共用される、
ことを特徴とする布団カバー。
【請求項２】
前記カバー素材の前記折り曲げ線上または近傍位置に、前記布団と連結する連結手段を有する、ことを特徴とする請求項１に記載の布団カバー。
【請求項３】
前記カバー素材は、
対向する２つの頂点近傍に当該頂点同士が結合する結合手段を有し、
前記布団の対向する２辺を折り目として前記布団を包み込み、前記結合手段によって前記布団カバーを前記布団に固定する、ことを特徴とする請求項１または２に記載の布団カバー。
【請求項４】
前記結合手段は、前記カバー素材の頂点の内側近傍に設けられた環部材と、前記頂点に対向する前記頂点の前記カバー素材の外側の近傍に設けられた一方の面ファスナと、当該近傍より中心よりに設けられた他方の面ファスナとから構成される、ことを特徴とする請求項１ないし３のいずれか１項に記載の布団カバー。
【請求項５】
前記結合手段は、前記カバー素材が前記布団を包み込み、前記環部材に前記対向する頂点近傍の一方の面ファスナを通した後に前記一方の面ファスナと前記他方の面ファスナとを結合することによって連結する、ことを特徴とする請求項４に記載の布団カバー。
【考案の詳細な説明】
【技術分野】
【０００１】
本考案は、布団に装着する布団カバーに関する。
【背景技術】
【０００２】
布団に袋状の布団カバーを付けたり外したりする作業は大変手間の掛かる作業であり、この作業を少しでも楽なものにするために様々な布団カバーが提案されている。
【０００３】
布団への布団カバーの装着を容易にするため、掛布団カバーの表面における対角線がファスナで四分割に開放され、掛布団の出し入れ口を形成し、一枚の菱形布で掛布団を被包し着脱具で固着するように構成されている布団カバーが提案されている（例えば、特許文献１および２参照）。
【先行技術文献】
【特許文献】
【０００４】
【特許文献１】特開２００４−３２９号公報
【特許文献２】特開２００２−３０６２９９号公報
【考案の概要】
【考案が解決しようとする課題】
【０００５】
特許文献１および２に記載の布団カバーでは、そのカバーに対応する布団のサイズが限定されてしまい、柔軟性に欠けるという問題があった。また、対応していないサイズの布団に上記布団カバーを無理に装着しようとすると見栄えが悪くなるという問題があった。
【０００６】
本考案は、上記の課題を解決するものであり、複数のサイズの布団に対応でき、かつ、装着時に見栄えが良い装着が容易な布団カバーを提供することを目的とする。
【課題を解決するための手段】
【０００７】
上記の課題を解決するため、本考案の１つの実施態様に係る布団カバーは、
二以上の異なるサイズの布団に適用可能な布団カバーであって、
正方形または長方形の平面形状を有するシート状のカバー素材から構成され、
布団の平面形状における２本の対角線の交点の位置と、前記カバー素材の平面形状における２本の対角線の交点の位置とが概略一致し、前記布団の平面形状における外辺部の概略中央が前記カバー素材の平面形状における頂点にくるように、前記布団を前記カバー素材上に配置し、前記布団の平面形状における外辺部に沿って前記カバー素材を折り曲げて、前記カバー素材の対向する頂点が重なるようにして前記布団を覆い、
前記カバー素材は、最大サイズの前記布団の面積の２倍以上の面積を有し、
最大サイズより小さいサイズの前記布団に対応した１組の対向する折り曲げ線が、前記最大の前記布団に対応した対向した１組の折り曲げ線と共用される。
【考案の効果】
【０００８】
本考案では、複数のサイズの布団に対応でき、かつ、装着時に見栄えが良い装着が容易な布団カバーを提供することができる。
【図面の簡単な説明】
【０００９】
【図１】本考案の第１の実施形態に係る布団カバーを模式的に示す正面図である。
【図２】本考案の第２の実施形態に係る布団カバーを模式的に示す正面図である。
【図３】本考案の第１および第２の実施形態に係る布団カバーを布団に装着する手順を説明する模式図である。
【図４】本考案の第３の実施形態に係る布団カバーを布団に装着する手順を説明する模式図である。
【図５】本考案の第４の実施形態に係る布団カバーを布団に装着する手順を説明する模式図である。
【図６】本考案の第５の実施形態に係る布団カバーを布団に装着する手順を説明する模式図である。
【図７】本考案の第６の実施形態に係る布団カバーを布団に装着する手順を説明する模式図である。
【図８】本考案の第７の実施形態に係る布団カバーを布団に装着する手順を説明する模式図である。
【図９】布団のサイズ規格を説明するための図である。
【考案の詳細な説明】
【００１０】
以下、実施形態について図面を参照しながら説明する。
（第１の実施形態の説明）
はじめに、図１を参照しながら、第１の実施形態に係る布団カバーの説明を行う。ここで、図１は、本考案の第１の実施形態に係る布団カバーを模式的に示す正面図である。
【００１１】
第１の実施形態に係る布団カバー１は、正方形のカバー素材２を有し、二以上の異なるサイズＳ１，Ｓ２の掛布団Ｆ１，Ｆ２を袋状に包み込むものである。なお、サイズＳ１，Ｓ２とは、それぞれセミダブルサイズ（１７０ｃｍ×２１０ｃｍ）、シングルサイズ（１５０ｃｍ×２１０ｃｍ）、である。また、掛布団の最大サイズＳｍａｘとして、クィーンサイズ（２１０ｃｍ×２１０ｃｍ）がある。
【００１２】
この布団カバー１は、布団の平面形状における２本の対角線の交点の位置と、カバー素材２の平面形状における２本の対角線の交点Ｅの位置とが概略一致し、布団の平面形状における外辺部の概略中央がカバー素材２の平面形状における頂点Ａ，Ｂ，Ｃ，Ｄにくるように（つまり、布団の頂点とカバー素材２の頂点が概略４５度ずれるように）、布団をカバー素材２上に配置し、布団の平面形状における外辺部に沿ってカバー素材２を折り曲げて、カバー素材２の対向する頂点Ａ及びＣ，Ｂ及びＤが重なるようにして布団を覆うことができる。布団カバー１は、最大サイズＳｍａｘの掛布団Ｆｍａｘの第１の正方形ａｂｃｄにおける２本の対角線を２本の中心線とする第１の正方形ａｂｃｄの面積（２１０ｃｍ×２１０ｃｍ）の２倍以上の面積を有する第２の正方形ＡＢＣＤのカバー素材２と、カバー素材２上に最大サイズＳｍａｘより小さい複数のサイズＳ１，Ｓ２の掛布団Ｆ１，Ｆ２の第３の長方形ｅｆｇｈおよびｉｊｋｌに対応して当該小さい複数のサイズＳ１，Ｓ２の掛布団Ｆ１，Ｆ２と連結する連結手段４ａ，４ｂと、を有する。また、カバー素材２上で、第３の長方形ｅｆｇｈおよびｉｊｋｌは２辺ｅｈ，ｆｇ，ｉｌ，ｊｋを第１の正方形ａｂｃｄと共有する。
なお、カバー素材２の面積は上記に限られるものではなく、最大サイズＳｍａｘより小さいサイズＳ１，Ｓ２の２倍以上の面積を有するようにすることもできるし、その他の任意のサイズ（図９参照）の２倍以上の面積を有するようにすることもできる。
【００１３】
カバー素材２は、綿、絹、ポリエステル等の布素材を縫製して製造された正方形の縫製品であり、対向する２つの頂点Ａ，Ｃ近傍に当該頂点Ａ，Ｃ同士が連結する結合手段５を有する。また、カバー素材２は、第３の長方形ｅｆｇｈまたはｉｊｋｌの対向する２辺ａｄ，ｂｃを折り目として掛布団Ｆ１またはＦ２を包み込み、結合手段５によって布団カバー１を掛布団Ｆ１またはＦ２に固定した後、頂点ＢおよびＤを真結びによって結びつける。
【００１４】
連結手段４ａ，４ｂは、布素材を縫製して製造された紐部材であり、それぞれ掛布団Ｆ１，Ｆ２の各端部及び中間点に設けられた環部材に結び付けられる。また、連結手段４ａ，４ｂは、頂点ｅ〜ｈおよび頂点ｉ〜ｌとそれらの中間点Ｐｅｆ，Ｐｆｇ，Ｐｇｈ，Ｐｈｅ，Ｐｉｊ，Ｐｋｌにそれぞれ設けられる。
【００１５】
結合手段５は、カバー素材２の頂点Ａの内側近傍に設けられた環部材５ａと、頂点Ａに対向する頂点Ｃのカバー素材２の外側の近傍に設けられた一方の面ファスナ５ｃと、当該近傍より中心よりに設けられた他方の面ファスナ５ｂとから構成される。
【００１６】
結合手段５（図３参照）は、カバー素材２が布団Ｆ１またはＦ２を包み込み、環部材５ａが対向する頂点Ｃ近傍の一方の面ファスナ５ｃを通した後に一方の面ファスナ５ｃと他方の面ファスナ５ｂとを結合することによって連結する。
【００１７】
環部材５ａは、布素材を縫製して製造された環状の布製品であり、カバー素材２の頂点Ａの近傍に強固に縫い付けられている。
【００１８】
面ファスナ５ｂは、面ファスナ５ｃと面的に着脱できるファスナであり、面ファスナ５ｃに押付けるとそれに貼り付くような多数の突起、例えば、ループ状もしくはフック状またはその両方の突起をその面に有する。同様に、面ファスナ５ｃは、面ファスナ５ｂと面的に着脱できるファスナであり、面ファスナ５ｂに押付けるとそれに貼り付くような多数の突起、例えば、フック状もしくはループ状またはその両方の突起をその面に有する。
【００１９】
以上、第１の実施形態によれば、シングルサイズとセミダブルサイズの複数のサイズの布団に対応でき、かつ、装着時にドレープができることによって見栄えが良い装着が容易な布団カバーを提供することができる。
【００２０】
（第２の実施形態の説明）
次に、図２を参照しながら、第２の実施形態に係る布団カバーの説明を行う。ここで、図２は、本考案の第２の実施形態に係る布団カバーを模式的に示す正面図である。
第２の実施形態に係る布団カバー１は、カバー素材２上に第１の正方形ａｂｃｄに対応して掛布団Ｆｍａｘと連結する連結手段３を有する。
【００２１】
第２の実施形態に係る布団カバー１は、正方形のカバー素材２を有し、二以上の異なるサイズＳｍａｘ，Ｓ３の掛布団Ｆｍａｘ，Ｆ３を袋状に包み込むものである。なお、サイズＳｍａｘとは、クィーンサイズ（２１０ｃｍ×２１０ｃｍ）である。また、サイズＳ３とは、ダブルサイズ（１９０ｃｍ×２１０ｃｍ）である。
【００２２】
この布団カバー１は、最大サイズＳｍａｘの掛布団Ｆｍａｘの第１の正方形ａｂｃｄにおける２本の対角線を２本の中心線とする第１の正方形ａｂｃｄの面積（２１０ｃｍ×２１０ｃｍ）の２倍以上の面積を有する第２の正方形ＡＢＣＤのカバー素材２と、カバー素材２上に第１の正方形ａｂｃｄに対応して掛布団Ｆｍａｘと連結する連結手段３と、カバー素材２上に最大サイズＳｍａｘより小さいサイズＳ３の掛布団Ｆ３の第３の長方形ｍｎｏｐに対応して当該小さいサイズＳ３の掛布団Ｆ３と連結する連結手段４ｃと、を有する。また、カバー素材２上で、第３の長方形ｍｎｏｐは２辺ｍｐ，ｎｏを第１の正方形ａｂｃｄと共有する。
【００２３】
カバー素材２は、綿、絹、ポリエステル等の布素材を縫製して製造された正方形の縫製品であり、対向する２つの頂点Ａ，Ｃ近傍に当該頂点Ａ，Ｃ同士が連結する結合手段５を有する。また、カバー素材２は、第３の長方形ｍｎｏｐの対向する２辺ａｄ，ｂｃを折り目として掛布団ＦｍａｘまたはＦ３を包み込み、結合手段５によって布団カバー１を掛布団ＦｍａｘまたはＦ３に固定した後、頂点ＢおよびＤを真結びによって結びつける。
【００２４】
連結手段３，４ｃは、布素材を縫製して製造された紐部材であり、それぞれ掛布団ＦｍａｘまたはＦ３の各端部及び中間点に設けられた環部材に結び付けられる。連結手段３は、頂点ａ，ｂ，ｃ，ｄとそれらの中間Ｐａｂ，Ｐｃｄとに設けられる。また、連結手段４ｃは、頂点ｍ，ｎ，ｏ，ｐとそれらの中間Ｐｍｎ，Ｐｂｃ，Ｐｏｐ,Ｐｄａとに設けられる。なお、結合手段５については、第１の実施形態と同様であるので更なる説明は省略する。
【００２５】
以上、第２の実施形態によれば、クィーンサイズとダブルサイズの複数のサイズの布団に対応でき、かつ、装着時にドレープができることによって見栄えが良い装着が容易な布団カバーを提供することができる。
【００２６】
（第１および第２の実施形態における装着方法の説明）
図３は、本考案の実施形態に係る布団カバーを布団に装着する手順を説明する模式図である。ここで、図３を参照しながら、掛布団Ｆへの布団カバー１の装着方法を説明する。
【００２７】
まず、図３（ａ）に示すように、布団カバー１の上に掛布団Ｆを戴置し、連結手段３または連結手段４で掛布団Ｆに布団カバー１を結び付ける。次に、図３（ｂ）および（ｃ）に示すように、掛布団Ｆの一端Ｌ１を折り目として布団カバー１の頂点Ｃを点Ｅ側に折り込み、頂点Ｃを含む面ファスナ５ｃを環部材５ａに通して、その後、それを折り返して、面ファスナ５ｃと面ファスナ５ｂとを貼着して結合する。
【００２８】
図３（ｄ）に示すように、掛布団Ｆの一端Ｌ３を折り目として布団カバー１の頂点Ｂを点Ｅ側に折り込む。そして、図３（ｅ）に示すように、掛布団Ｆの反対側の端Ｌ４を折り目として布団カバー１の頂点Ｄを点Ｅ側に折り込む。最後に、頂点Ｂの端と頂点Ｄの端とを真結びで結び付け、図３（ｆ）に示すように、布団カバー１の掛布団Ｆへの装着を完了する。
【００２９】
以上のように、第１および第２の実施形態に係る布団カバー１によれば、面ファスナ５ｃを環部材に通し、面ファスナ５ｂ，５ｃを貼着し、真結びすることで装着することができ、その工程を簡便にすることができる。また、最後に頂点ＢおよびＤを真結びで結びつけるので、結び目やドレープができ、外観上美しくなり、布団カバーとして好適である。
【００３０】
（第３の実施形態の説明）
図４は、本考案の第３の実施形態に係る布団カバーを布団に装着する手順を説明する模式図である。ここで、図４を参照しながら、第３の実施形態に係る布団カバー１の掛布団Ｆへの装着方法を説明する。
結合手段５は、カバー素材２の頂点Ａの内側近傍に設けられた紐部材５１と、当該頂点Ａ内
側の近傍と当該頂点Ａとの間に設けられた一方の面ファスナ５２と、頂点Ａに対向する頂点Ｃのカバー素材２の外側の近傍に設けられた他方の面ファスナ５３とから構成される。
【００３１】
結合手段５（図４（ｅ）参照）は、カバー素材２が掛布団Ｆを包み込み、紐部材５１が、対向する頂点Ｃの近傍を結びつけた後に一方の面ファスナ５２と他方の面ファスナ５３とを結合することによって連結する。紐部材５１が頂点Ｃ近傍を結びつけることによって頂点Ｃから放射状にドレープ、つまり、ヒダができ、美観上、好ましい。
【００３２】
紐部材５１は、布素材を縫製して製造された紐状の布製品であり、カバー素材２の頂点Ａの近傍に強固に縫い付けられている。
【００３３】
面ファスナ５２は、面ファスナ５３と面的に着脱できるファスナであり、面ファスナ５３に押付けるとそれに貼り付くような多数の突起、例えば、ループ状もしくはフック状またはその両方の突起をその面に有する。同様に、面ファスナ５３は、面ファスナ５２と面的に着脱できるファスナであり、面ファスナ５２に押付けるとそれに貼り付くような多数の突起、例えば、フック状もしくはループ状またはその両方の突起をその面に有する。
【００３４】
まず、図４（ａ）に示すように、布団カバー１の上に掛布団Ｆを戴置し、連結手段３または連結手段４で掛布団Ｆに布団カバー１を結び付ける。次に、図４（ｂ）に示すように、掛布団Ｆの一端Ｌ１を折り目として布団カバー１の頂点Ｃを点Ｅ側に折り込む。その結果、布団カバー１裏側の頂点Ｃ近傍にあった面ファスナ５３が表に出てくる。
【００３５】
そして、図４（ｃ）に示すように、掛布団Ｆの他端Ｌ２を折り目として布団カバー１の頂点Ａを点Ｅ側に折り込み、紐部材５１を頂点Ｃ近傍に結び付け、面ファスナ５２と面ファスナ５３とを貼着して結合する。
【００３６】
図４（ｄ）に示すように、掛布団Ｆの一端Ｌ３を折り目として布団カバー１の頂点Ｂを点Ｅ側に折り込む。そして、図４（ｅ）に示すように、掛布団Ｆの反対側の端Ｌ４を折り目として布団カバー１の頂点Ｄを点Ｅ側に折り込む。最後に、頂点Ｂの端と頂点Ｄの端とを真結びで結び付け、図４（ｅ）に示すように、布団カバー１の掛布団Ｆへの装着を完了する。
【００３７】
以上のように、第３の実施形態に係る布団カバー１によれば、紐部材を環部材に結び付けることと、布団カバー１を折り畳むことと、紐部材５１を頂点Ｃに結い付けることと、面ファスナ５２，５３を貼り付けるだけで装着することができ、その工程を簡便にすることができる。また、最後に頂点ＢおよびＤを真結びで結びつけるので、結び目やドレープができ、外観上美しくなり、布団カバーとして好適である。
【００３８】
（第４の実施形態の説明）
ここで、図５を参照しながら、第４の実施形態に係る布団カバーの説明を行う。図５は、本考案の第４の実施形態に係る布団カバーを布団に装着する手順を説明する模式図である。
第４の実施形態は、第１および第２の実施形態と比較して、結合手段５が異なる。なお、他の構成については、同様であるので説明を省略する。
【００３９】
第４の実施形態における結合手段５は、カバー素材２の頂点Ａの内側近傍に設けられ、且つ、先端部分にボタン５４（後述）を付けることができる紐部材５１と、当該頂点Ａ内側の近傍と当該頂点Ａとの間に設けられた一方の面ファスナ５２と、頂点Ａに対向する頂点Ｃのカバー素材２の外側の近傍に設けられた他方の面ファスナ５３と、頂点Ａ近傍で紐部材５１より点Ｅ側に配置されるボタン５４と、頂点Ｃと面ファスナ５３が取り付けられた点との間に配置された紐部材５１を通す横穴５５とから構成される。
【００４０】
結合手段５は、図５（ａ）〜（ｃ）に示すように、カバー素材２が掛布団Ｆを包み込み、図５（ｄ）に示すように、紐部材５１が、横穴５５を通してその先端部分をボタン５４に取り付けた後に、図５（ｅ）に示すように、一方の面ファスナ５２と他方の面ファスナ５３とを結合することによって連結する。
【００４１】
以上、第４の実施形態によれば、ボタンを使うことで確実に頂点ＡおよびＣを連結することができる。
【００４２】
（第５の実施形態の説明）
ここで、図６を参照しながら、第５の実施形態に係る布団カバーの説明を行う。図６は、本考案の第５の実施形態に係る布団カバーを布団に装着する手順を説明する模式図である。
第５の実施形態は、第１ないし第４の実施形態と比較して、結合手段５が異なる。なお、他の構成については、同様であるので説明を省略する。
【００４３】
第５の実施形態における結合手段５は、カバー素材２の頂点Ａ近傍に設けられ、且つ、ボタン５６（後述）を付けることができる横穴５７と、当該頂点Ａ内側の近傍と当該頂点Ａとの間に設けられた一方の面ファスナ５２と、頂点Ａに対向する頂点Ｃのカバー素材２の外側の近傍に設けられた他方の面ファスナ５３と、当該面ファスナ５３と頂点Ｃとの間のカバー素材２の外側に設けられたボタン５６とから構成される。
【００４４】
結合手段５は、図６（ａ）〜（ｃ）に示すように、カバー素材２が掛布団Ｆを包み込み、ボタン５６を横穴５７に取り付けた後に、一方の面ファスナ５２と他方の面ファスナ５３とを結合することによって連結する。
【００４５】
以上、第５の実施形態によれば、近接したボタンおよび面ファスナを使うことで確実に頂点ＡおよびＣを連結することができ、ボタンを取り付けて面ファスナを貼着するという簡単な行程であるので、取り付けにかかる手間を減らすことができる。
【００４６】
（第６の実施形態の説明）
ここで、図７を参照しながら、第６の実施形態に係る布団カバーを説明する。図７は、本考案の第６の実施形態に係る布団カバーを布団に装着する手順を説明する模式図である。
第６の実施形態は、第１および第２の実施形態と比較して、頂点Ｂの端と頂点Ｄの端とを真結びで結び付けるのではなく、結合手段６によって連結する。なお、他の構成については、同様であるので説明を省略する。
【００４７】
結合手段６は、図７（ａ）に示すように、頂点Ｄ近傍、且つ、カバー素材２内側に配置され、ボタン６１または６２を嵌め込む横穴６３と、頂点Ｂ近傍、且つ、カバー素材２外側に配置されたボタン６１と、当該ボタン６１と頂点Ｂとの間に設けられたボタン６２とから構成される。
【００４８】
結合手段６は、結合手段５が頂点ＡおよびＣを結合した後に、頂点Ｂ近傍、且つ、カバー素材２外側に配置されたボタン６１またはボタン６２を頂点Ｄの横穴６３に嵌め込むことによって、布団カバー１の掛布団Ｆへの装着を完了する。
【００４９】
以上、第６の実施形態によれば、真結びによって頂点ＢおよびＤを結びつけるのではなく、ボタンによって結合するので、簡単な操作で布団カバーの装着を行うことができる。
【００５０】
（第７の実施形態の説明）
ここで、図８を参照しながら、第７の実施形態に係る布団カバーを説明する。図８は、本考案の第７の実施形態に係る布団カバーを布団に装着する手順を説明する模式図である。
第７の実施形態は、第１および第２の実施形態と比較して、頂点Ｂの端と頂点Ｄの端とを真結びで結び付けるのではなく、結合手段６によって連結する。なお、他の構成については、同様であるので説明を省略する。
【００５１】
結合手段６は、図８（ａ）に示すように、頂点Ｄ近傍、且つ、カバー素材２内側に対角線ＢＤに沿って配置された面ファスナ６４と、頂点Ｂ近傍、且つ、カバー素材２外側に対角線ＢＤに沿って配置された面ファスナ６５とから構成される。
【００５２】
結合手段６は、結合手段５が頂点ＡおよびＣを結合した後に、頂点Ｂの面ファスナ６４を頂点Ｄの面ファスナ６５に接着することによって、布団カバー１の掛布団Ｆへの装着を完了する。
【００５３】
以上、第７の実施形態によれば、真結びによって頂点ＢおよびＤを結びつけるのではなく、面ファスナによって結合するので、簡単な操作で布団カバーの装着を行うことができる。
【００５４】
（その他の実施形態の説明）
第１ないし第７の実施形態に係る布団カバーは、カバー素材２が正方形であったが、長方形であってもよい。また、第１ないし第７の実施形態に係る布団カバーにおける、頂点ＡおよびＣを結合する手段と、頂点ＢおよびＤを結合する手段とは、用途や使用状況に応じた任意の組み合わせが可能である。
【００５５】
以上のように、本考案の実施の形態を説明したが、開示内容は構成の細部において変化してもよく、実施の形態における要素の組合せや順序の変化等は請求された本考案の範囲および思想を逸脱することなく実現し得るものである。
【符号の説明】
【００５６】
１        布団カバー
２        カバー素材
３        連結手段
４        連結手段
５        結合手段
５ａ      環部材
５ｂ      面ファスナ
５ｃ      面ファスナ
５１      紐部材
５２      面ファスナ
５３      面ファスナ
５４      ボタン
５５      横穴
５６      ボタン
５７      横穴
６        結合手段
６１      ボタン
６２      ボタン
６３      横穴
６４      面ファスナ
６５      面ファスナ
【図１】
0003207311.tif 000003
【図２】
0003207311.tif 000004
【図３】
0003207311.tif 000005
【図４】
0003207311.tif 000006
【図５】
0003207311.tif 000007
【図６】
0003207311.tif 000008
【図７】
0003207311.tif 000009
【図８】
0003207311.tif 000010
【図９】
0003207311.tif 000011